(57)【要約】【課題】  外蓋を旋回操作すれば、中蓋も同時に開閉できるようにする。二重蓋が汚れても、中蓋と外蓋に分解して、それぞれを別々に洗浄できるようにする。【解決手段】  容器本体と、その口部に嵌着する中蓋と、前記口部にネジ部で螺合して中蓋の上から同口部に被せる外蓋と、両蓋をそれぞれの軸心部を中心にして相対回転可能かつ相対移動可能に連結する中蓋に設けた連結軸とより構成されている。中蓋と外蓋の位置関係は、外蓋を被せるとき、外蓋で中蓋を口部に押し込むことができ、外蓋を取るとき、外蓋で中蓋を連結軸部分において引き上げることができるように設定されている。二重蓋は、連結軸の分解によって、中蓋と外蓋に分解できる。【選択図】        図５
2005075449.tif 000002
【特許請求の範囲】
【請求項１】
円筒形の口部を有する容器本体と、前記口部にハット本体部において嵌着され、同口部の口縁につば部において掛止されるシルクハット型の中蓋と、前記口部に第１ネジ部において螺合して中蓋の上から同口部に被せる外蓋と、中蓋と外蓋とをそれぞれの軸心部を中心にして相対回転可能かつ相対移動可能に連結する連結軸とよりなり、前記連結軸は、中蓋の軸心部に設け、あらかじめ外蓋の軸心部に設けた穴に挿通するナットと、ナットに第２ネジ部において螺合して取り付けられ、かつ頭部が穴の縁に掛止されて中蓋が外蓋から外れないようにする止めネジとよりなり、前記第２ネジ部は、第１ネジ部の逆ネジとなっており、前記中蓋と外蓋の連結軸方向の位置関係は、外蓋を容器本体の口部に被せるとき、その下面が中蓋のつば部上面と摺接し、外蓋を容器本体から取り外すとき、止めネジの頭部が外蓋の穴の周縁と摺接するように設定されていることを特徴とする二重蓋付き容器。
【請求項２】
外蓋を容器本体の口部に被せたときに互に密着する口部口縁部の上面と中蓋のつば部の下面のうち、いずれか一方に環状突起を設けたことを特徴とする請求項１記載の二重蓋付き容器。
【請求項３】
外蓋を容器本体の口部に被せたときに口部に嵌着される中蓋と密着する容器本体の口部の口縁部を、出隅部のない形状にしたことを特徴とする請求項１又は２記載の二重蓋付き容器。
【発明の詳細な説明】
【技術分野】
【０００１】
この発明は、二重蓋付き容器に関するものである。
【背景技術】
【０００２】
従来の二重蓋付き容器としては、図６に示すものがある。この容器は、円筒形の口部２１を有する容器本体２２と、その口部２１に嵌着して同口部２１を密閉する中蓋２３と、前記口部２１の雄ネジ２１ａに雌ネジ２４ａを螺合して中蓋２３の上から口部２１に被せる外蓋２４とより構成されている。
【０００３】
この容器の欠点は、中蓋２３と外蓋２４が別体になっているので、蓋を閉めるときは、中蓋２３を嵌着してから外蓋２４を被せ、蓋をあけるときは、外蓋２４を取ってから中蓋２３を取る、といった具合にそれぞれ２回の操作が必要になり、蓋の開閉操作に手間がかかることである。
【０００４】
この欠点を解決する容器としては、図示しないが、口部に嵌着する中蓋と口部に螺合して被せる外蓋を同軸的に一体にしたものがある。この容器の場合、二重蓋の開閉操作は、それぞれ外蓋の旋回操作だけで可能になる。しかし、次のような欠点がある。
【０００５】
中蓋と外蓋は、一体になっていて分解できないので、容器に入れた液体や粉体で汚れた場合、洗浄しにくい。中蓋と外蓋の間の狭小な入隅部に付着した液体や粉体の除去がむずかしいからである。
【０００６】
このほかに、外蓋はフリーストップ機能をもってキャップ本体に蝶着され、中蓋はその蝶着部分において揺動自在となっている容器もある。
【０００７】
この容器においては、中蓋の環状突起を口部に嵌合する際に、中蓋が自在に揺動するので、口部との間でこじれを生じない。
【０００８】
また、中蓋は係止手段を介して外蓋に係止されて両者は一体となって一挙に開閉されるので、両蓋は一度の開閉操作で開閉できる（特許文献１参照）。
【０００９】
しかし、この容器においては、蝶番で外蓋をキャップ本体にフリーストップ機能をもって蝶着する構成を採っている。また、この容器には、外蓋と中蓋をキャップ本体に係脱自在に係合する係合部と、操作力の作用によって係合を解除する上下回転されるフックピースとにより構成されるフック機構が設けられている。
【００１０】
このため、特許文献１の容器は、構造が複雑でコスト高につくだけでなく、蓋が汚れた場合の洗浄が容易ではない。
【特許文献１】特開２０００−２４４２５６号公報
【発明の開示】
【発明が解決しようとする課題】
【００１１】
この発明の課題は、次の３つである。
【００１２】
（１）外蓋を旋回操作して開閉すれば、中蓋も同時に開閉できるようにする。
【００１３】
（２）二重蓋が汚れても外蓋と中蓋に分解してそれぞれを隅ずみまで効果的に洗浄できるようにする。
【００１４】
（３）構造を簡単にしてコスト高にならないようにする。
【課題を解決するための手段】
【００１５】
上記課題を解決するために、この発明が提供する二重蓋付き容器は、次の（１）〜（３）に記載のものである。
【００１６】
（１）円筒形の口部を有する容器本体と、前記口部にハット本体部において嵌着され、同口部の口縁につば部において掛止されるシルクハット型の中蓋と、前記口部に第１ネジ部において螺合して中蓋の上から同口部に被せる外蓋と、中蓋と外蓋とをそれぞれの軸心部を中心にして相対回転可能かつ相対移動可能に連結する連結軸とよりなり、前記連結軸は、中蓋の軸心部に設け、あらかじめ外蓋の軸心部に設けた穴に挿通するナットと、ナットに第２ネジ部において螺合して取り付けられ、かつ頭部が穴の縁に掛止されて中蓋が外蓋から外れないようにする止めネジとよりなり、前記第２ネジ部は、第１ネジ部の逆ネジとなっており、前記中蓋と外蓋の連結軸方向の位置関係は、外蓋を容器本体の口部に被せるとき、その下面が中蓋のつば部上面と摺接し、外蓋を容器本体から取り外すとき、止めネジの頭部が外蓋の穴の周縁を摺接するように設定されていることを特徴とする二重蓋付き容器（以下、第１の容器という）。
【００１７】
（２）第１の容器における口部周縁部の上面と中蓋のつば部の下面のうち、いずれか一方に環状突起を設けた二重蓋付き容器（以下、第２の容器という）。
【００１８】
（３）第１又は第２の容器における中蓋と密着する容器本体の口部の口縁部を出隅部のない形状とした二重蓋付き容器。
【発明の効果】
【００１９】
（１）中蓋と外蓋を、それぞれの軸心部を中心にして相対回転かつ相対移動可能に連結することによって、二重蓋の開閉時に、両蓋が所定の部位で摺接するようにするとともに、外蓋を被せるときの中蓋の口部への位置合わせが容易になるようにしたので、外蓋を旋回操作して開閉すれば、中蓋も同時に開閉できる。
【００２０】
（２）止めネジを中蓋に設けたナットから取り外すことによって二重蓋を外蓋と中蓋とに分解できるようにしたので、二重蓋が汚れたとき、外蓋と中蓋に分解して、それぞれを隅ずみまで効果的に洗浄できる。
【００２１】
（３）外蓋と中蓋をナットと止めネジによる連結軸で連結する構成としたので、構造が簡単になり、コスト高にならない。
【発明を実施するための最良の形態】
【００２２】
以下、この発明を実施するための最良の形態を実施例によって説明する。
【実施例】
【００２３】
図１〜図５は、実施例の二重蓋付き容器を示す。図１はその側面図、図２はその平面図である。図３は図２のＡ−Ａ断面拡大図、図４は図３の分解図である。図５は二重蓋の開閉時の動作を説明するための断面図である。
【００２４】
図において、Ｙは容器本体で、１はその円筒形の口部である。Ｃは容器本体Ｙの二重蓋である。両者は合成樹脂製である。
【００２５】
二重蓋Ｃは、中蓋２と、外蓋３と、両蓋２，３をそれぞれの軸心部を中心にして相対回転可能かつ相対移動可能に連結する連結軸４とを構成要素とし、これらによって組み立てられる。
【００２６】
中蓋２は口部１に嵌着して同口部１を密閉する、つば部２ａのあるシルクハット型の蓋である。ハット本体部２ｂは頂部がやや細くなっている。中蓋２の嵌着状態においては、つば部２ａは口部１の上端面に密着し、ハット本体部２ｂは口部２の内周面に密着する。
【００２７】
外蓋３は、その雌ネジ３ａを口部１の雄ネジ１ａに螺合して中蓋２の上から口部１に被せる蓋である。両ネジ１ａ，３ａは右ネジである。
【００２８】
連結軸４は、中蓋２の中心部上面側に同軸かつ一体に設けたナット５と、これに螺合して取り付ける止めネジ６とより構成されている。ナット５と止めネジ６は左ネジとなっている。なお、上記ネジ１ａ，３ａが左ネジの場合は、ナット５と止めネジ６は右ネジである。
【００２９】
７は、外蓋３の軸心部に設けた筒状の穴で、上記ナット５を挿通するためのものである。
【００３０】
中蓋２と外蓋３は、ナット５を穴７に挿通して、同ナット５に止めネジ６を螺合して取り付けることによって同軸的に連結され、二重蓋Ｃとして組み立てられる。
【００３１】
組立状態においては、止めネジ６の頭部６ａが、筒状の穴７の上端面（口縁）に掛止され、中蓋２の外蓋３からの外れ（脱落）が防止される。中蓋２と外蓋３は、連結軸４を中心にして相対回転可能であり、かつ相対移動可能である。６ｂは止めネジ６のドライバー用溝である。
【００３２】
中蓋２と外蓋３の連結軸４方向の位置関係は次のように設定されている。
【００３３】
すなわち、図５に示すように、二重蓋Ｃの外蓋３を口部１に被せるときは、その下面が中蓋２のつば部２ａの上面のみと摺接するように設定されている。
【００３４】
これは、外蓋３を締めるときの外蓋３の中蓋２に対する押圧力がつば部２ａに集中的に作用するようにするためである。このようにすれば中蓋２の口部１への圧入が容易になるからである。
【００３５】
外蓋３を口部１から取り外すときは、止めネジ６の頭部６ａが外蓋３の穴７の口縁とのみ摺接するように設定されている。
【００３６】
これは、外蓋３を取り外すときの外蓋３による中蓋２の引き上げ力が止めネジ６の頭部６ａに集中して作用するようにするためである。
【００３７】
止めネジ６は外蓋３の逆ネジとなっている。したがって、外蓋３を左に回して取り外しても、止めネジ６は緩むおそれはない。
【００３８】
中蓋２と外蓋３の水平方向（連結軸４に垂直な面方向）の位置関係は、口部１の中心軸に対する中蓋２と外蓋３のそれにズレがあっても、そのズレを吸収できるように設定されている。
【００３９】
容器本体Ｙの口部１に嵌着される中蓋２と密着する同口部１の口縁部は、この実施例では、出隅部のない形状となっている。すなわち、口部１の内周面と上端面とで形成される出隅部（稜部）は、あらかじめ切除され、カット面１ｂ（図４）となっている。
【００４０】
このカット面１ｂは、中蓋２と口部１の内周面及び上端面との確実な密着を確保する上で有効である。カット面１ｂに代えて湾曲面を設けることもできる。これらの面は、必要に応じ設けることができる。
【００４１】
実施例の二重蓋付き容器は、上述のような構成となっているので、二重蓋Ｃを開閉する場合の中蓋２と外蓋３の挙動は、次のようになる。
【００４２】
（１）二重蓋Ｃを開ける場合
図３において、外蓋３を左に回すと、上方に移動し、穴７の上端面が止めネジ６の頭部６ａに突き当たって、これと摺接し、中蓋２を上方に引き上げる。さらに、外蓋３を回すと、口部１から外れ、中蓋２も外れる。
【００４３】
（２）二重蓋Ｃを閉める場合
図５において、外蓋３を口部１に嵌め、右に回すと、中蓋２が口部１に嵌まり、外蓋３の下面が中蓋２のつば部２ａの上面に突き当たって、これと摺接し、中蓋２を口部１の中に押し込んで行く。さらに、外蓋３を回すと、つば部２ａの下面が口部１の上端面に突き当たって、中蓋２が口部１に嵌着され、外蓋３も締まる。
【００４４】
図示しないが、外蓋３を容器本体Ｙの口部１に被せたときに互に密着する口部１の口縁部の上面と中蓋２のつば部２ａの下面のうち、いずれか一方に環状突起を設けることもできる。この突起は、中蓋２と口部１の間のシール性能を上げる上で有効である。必要に応じ設けると良い。
【図面の簡単な説明】
【００４５】
【図１】実施例の二重蓋付き容器の側面図
【図２】図１の平面図
【図３】図２のＡ−Ａ断面要部拡大図
【図４】図３の分解図
【図５】実施例の動作を説明するための要部断面図
【図６】従来の二重蓋付き容器の要部断面図
【符号の説明】
【００４６】
Ｙ  容器本体
Ｃ  二重蓋
１  口部
１ａ  雄ネジ
１ｂ  カット面
２  中蓋
２ａ  つば部
２ｂ  ハット本体部
３  外蓋
３ａ  雌ネジ
４  連結軸
５  ナット
６  止めネジ
６ａ  頭部
７  筒状の穴
【図１】
2005075449.tif 000003
【図２】
2005075449.tif 000004
【図３】
2005075449.tif 000005
【図４】
2005075449.tif 000006
【図５】
2005075449.tif 000007
【図６】
2005075449.tif 000008